(57)【要約】【課題】コルゲートチューブ端部を仮止め保持する本体とカバーを備え、コルゲートチューブを本体に対して位置ずれすることなく仮止め保持できる保持具を提供する。【解決手段】保持具１は、コルゲートチューブ２の端部６を保持する本体３と、カバー５とから成り、本体は、コルゲートチューブ端部の外周面を支持するホルダー部７を有し、ホルダー部の端部に向けて軸方向に延びる弾性保持片１１が形成され、コルゲートチューブ端部内面の蛇腹の谷に弾性的に係合して本体に仮止め保持し、カバーは、本体に連結する連結片２５を有し、連結片は、その押込み位置をコルゲートチューブの外径の大きさに合わせて調整できる。【選択図】図１
2008154343.tif 000002
【特許請求の範囲】
【請求項１】
蛇腹形状のコルゲートチューブの端部を保持する保持具であって、
前記コルゲートチューブの端部を保持する本体と、該本体に連結されて、コルゲートチューブの端部を本体から脱落しないように覆うカバーとから構成され、
前記本体は、コルゲートチューブの前記端部を受け入れて該端部の外周面を支持する形状に形成されたホルダー部を有し、該ホルダー部の内面には、該ホルダー部の端部に向けて軸方向に延びる弾性保持片が形成され、該弾性保持片は、コルゲートチューブの前記端部の内面に挿入されて該端部の蛇腹の谷に弾性的に係合して該コルゲートチューブを本体に仮止め保持するように形成されており、
前記カバーは、前記ホルダー部に仮止め保持されたコルゲートチューブ端部を該カバーが覆うように、カバーを前記本体に連結するための連結片を有し、該連結片は、前記コルゲートチューブ外面をカバーが前記ホルダー部内面に押圧する位置まで前記本体に押込むことができ、該連結片は、その押込み位置をコルゲートチューブの外径の大きさに合わせて調整できる構成である、
ことを特徴とする保持具。
【請求項２】
請求項１に記載の保持具において、前記ホルダー部は、前記コルゲートチューブ端部を保持する底部と該底部から立ち上がる一対の壁部によってＵ字形状に形成されている、ことを特徴とする保持具。
【請求項３】
請求項２に記載の保持具において、前記弾性保持片は、前記ホルダー部の底部から前記コルゲートチューブ端部の内面の蛇腹の山の高さに等しいかやや高く立ち上がり且つその高さのままホルダー部端部に向けて延びる断面Ｌ字型に形成され、該弾性保持片先端には前記コルゲートチューブ端部内面の蛇腹の谷に嵌合する係合爪が形成されている、ことを特徴とする保持具。
【請求項４】
請求項２又は３に記載の保持具において、前記カバーの連結片は、前記本体のホルダー部の前記壁部に形成された連結片係止穴に挿入される細長い脚部として形成され、該連結片には、前記連結片係止穴に形成された係止爪に係止する係止突部が長手方向に複数段形成されて、前記連結片が前記連結片係止穴に押込まれる位置が、コルゲートチューブの外径の大きさに依存して調整される、ことを特徴とする保持具。
【請求項５】
請求項２に記載の保持具において、前記本体には、前記ホルダー部の壁部に隣接して該壁部と平行に立設されたガイドバーが形成されており、前記カバーには、前記ガイドバーを受入れて、カバーが該ガイドバーに沿って移動するように規制するガイド凹部が形成されており、前記ガイドバーと前記ガイド凹部とによって前記連結片が前記本体に連結されるのを滑らかに案内する、ことを特徴とする保持具。
【請求項６】
請求項１〜５のいずれか１項に記載の保持具において、前記本体には、パネル等の被取付部材に取付けるための固定部が形成されている、ことを特徴とする保持具。
【請求項７】
請求項１〜６のいずれか１項に記載の保持具において、前記カバーには、該カバーが前記本体に連結されて前記ホルダー部に保持されたコルゲートチューブの端部を押込んだ状態にあるとき、該コルゲートチューブ端部の外面の蛇腹の谷に弾性的に嵌合する第２の弾性保持片が形成されている、ことを特徴とする保持具。
【請求項８】
請求項１〜７のいずれか１項に記載の保持具において、前記本体には、前記ホルダー部が、保持されるコルゲートチューブの軸方向に整列して２個形成されており、一のコルゲートチューブの端部が一方のホルダー部に保持され、別のコルゲートチューブの端部が他方のホルダー部に保持されて、両コルゲートチューブを連結するコネクタとなる、ことを特徴とする保持具。
【発明の詳細な説明】
【技術分野】
【０００１】
本発明は、例えば、電線等の細長い物品を束に収容して配管することのできる蛇腹形状のコルゲートチューブを保持する保持具に関し、特に、コルゲートチューブの端部を保持する保持具に関する。
【背景技術】
【０００２】
蛇腹形状のコルゲートチューブは、内部に電線の束やワイヤハーネス等の細長い物品を収容して、それらの物品を保護するとともに、レイアウトに従って撓めて配管するのに用いられる。コルゲートチューブの端部は、例えば、特開平９−１３０９４１号公報（特許文献１）に記載のように、ボックス形状の保持具によって保持される。
【０００３】
【特許文献１】特開平９−１３０９４１号公報
【特許文献２】実開平５−０２５９２０号公報
【特許文献３】特開平１１−００８９２２号公報
【特許文献４】特開２０００−０１３９５０号公報
【発明の開示】
【発明が解決しようとする課題】
【０００４】
特許文献１に記載のコルゲートチューブ端部の保持具は、コルゲートチューブの端部を側壁の穴から挿入すると、その端部が、底壁と弾性保持片との間に挿入されて底壁と弾性保持片との間に挟持されて、保持具に保持される。特許文献１のボックス形状の保持具には、側壁に複数の穴及び弾性保持片が形成されており、それぞれの穴にコルゲートチューブの端部を挿入すると、それらのコルゲートチューブが保持具に保持されるので、それら複数のコルゲートチューブが相互に接続される。特許文献１の保持具は、コルゲートチューブを保持するのは底部と一対の壁部とであり、上部が開放しているので、コルゲートチューブの端部の保持が十分ではない。
【０００５】
特許文献２に記載のプロテクタは、底壁と一対の側壁とが電線の長手方向に長く形成されて内部に電線を収容する本体と、本体上部の開放部分を閉じるカバーとから構成され、カバーは、本体上部を閉じて電線を底壁に押付けて保持できる構成になっている。詳細には、本体の側壁は、底壁から上部に向かう上下方向に複数の段部が形成されて上下方向に伸縮することができ、カバーには、側壁に形成された係止筒部に挿入されて係合する連結片が形成されて、本体への押込み位置を調整できる構成にされ、電線束の太さにかかわらず、本体底壁に電線束を押付けて保持できる。しかし、特許文献２のプロテクタは、コルゲートチューブの端部を保持する保持具ではない。
【０００６】
特許文献３に記載のプロテクタは、コルゲートチューブに収容された電線束を収容する本体と、本体上部の開放部を閉じるカバーとから成り、本体にはコルゲートチューブを仮止め保持する構成があって、作業者は、コルゲートチューブを持たずに、カバーを連結できる。しかし、特許文献３のプロテクタは、電線束を保持するもので、コルゲートチューブを保持する保持具ではなく、コルゲートチューブの端部を保持する構成もない。
【０００７】
特許文献４は、コルゲートチューブの端部を保持するチューブ形状の固定具を記載している。特許文献４の固定具は、端部にコルゲートチューブの端部を挿入するとコルゲートチューブの外面が固定具の上部の係止爪と下部の弾性係止爪とに係合し、コルゲートチューブが固定具に容易に保持される。特許文献４の固定具は、チューブ形状に形成されていて、例えば上部が開放している本体にコルゲートチューブを収容して開放部をカバーで閉じる構成の保持具ではない。例えば、交換や保守等の場合にコルゲートチューブを取外すには固定具全体を破壊せねばならない。
【０００８】
従って、本発明の目的は、コルゲートチューブの端部を仮止め保持できる本体と本体開放部を閉じるカバーを備え、仮止め保持したコルゲートチューブを本体に対して位置ずれすることなく開放部をカバーで閉じることのできる、コルゲートチューブの端部の保持具を提供することにある。
【課題を解決するための手段】
【０００９】
かかる目的を達成する、本発明に係る、蛇腹形状のコルゲートチューブの端部を保持する保持具は、コルゲートチューブの端部を保持する本体と、本体に連結されて、コルゲートチューブの端部を本体から脱落しないように覆うカバーとから構成され、本体は、コルゲートチューブの端部を受け入れて端部の外周面を支持する形状に形成されたホルダー部を有し、ホルダー部の内面には、ホルダー部の端部に向けて軸方向に延びる弾性保持片が形成され、弾性保持片は、コルゲートチューブの端部の内面に挿入されて端部の蛇腹の谷に弾性的に係合してコルゲートチューブを本体に仮止め保持するように形成されており、カバーは、ホルダー部に仮止め保持されたコルゲートチューブ端部をカバーが覆うように、カバーを本体に連結するための連結片を有し、連結片は、コルゲートチューブ外面をカバーがホルダー部内面に押圧する位置まで前記本体に押込むことができ、連結片は、その押込み位置をコルゲートチューブの外径の大きさに合わせて調整できる構成である、ことを特徴とする。
【００１０】
上記のように、コルゲートチューブの端部を仮止め保持できる本体を備え、仮止め保持した状態においてコルゲートチューブを本体から位置ずれすることなく、カバーを閉じることができ、カバーによってコルゲートチューブを確実に保持することができ、カバーの押込み位置が調整できるので異なる直径のコルゲートチューブを保持でき、例えば、複数の異なる直径のコルゲートチューブの端部を相互に簡単に接続することができる。
【００１１】
上記保持具において、ホルダー部は、コルゲートチューブ端部を保持する底部と底部から立ち上がる一対の壁部によってＵ字形状に形成される。弾性保持片は、ホルダー部の底部からコルゲートチューブ端部の内面の蛇腹の山の高さに等しいかやや高く立ち上がり且つその高さのままホルダー部端部に向けて延びる断面Ｌ字型に形成され、弾性保持片先端にはコルゲートチューブ端部内面の蛇腹の谷に嵌合する係合爪が形成されている。カバーの連結片は、本体のホルダー部の壁部に形成された連結片係止穴に挿入される細長い脚部として形成され、連結片には、連結片係止穴に形成された係止爪に係止する係止突部が長手方向に複数段形成されて、連結片が連結片係止穴に押込まれる位置が、コルゲートチューブの外径の大きさに依存して調整される。本体には、ホルダー部の壁部に隣接して壁部と平行に立設されたガイドバーが形成されており、カバーには、ガイドバーを受入れて、カバーがガイドバーに沿って移動するように規制するガイド凹部が形成されており、ガイドバーとガイド凹部とによって連結片が本体に連結されるのを滑らかに案内する。本体には、パネル等の被取付部材に取付けるための固定部が形成されている。カバーには、カバーが本体に連結されてホルダー部に保持されたコルゲートチューブの端部を押込んだ状態にあるとき、コルゲートチューブ端部の外面の蛇腹の谷に弾性的に嵌合する第２の弾性保持片が形成されている。本体には、ホルダー部が、保持されるコルゲートチューブの軸方向に整列して２個形成されており、一のコルゲートチューブの端部が一方のホルダー部に保持され且つ別のコルゲートチューブの端部が他方のホルダー部に保持されて、両コルゲートチューブを連結するコネクタとなる。
【発明を実施するための最良の形態】
【００１２】
図１は、本発明の１実施形態に係る保持具１に、１つの蛇腹形状のコルゲートチューブ２を取付ける操作を示している。図１において、保持具１は、本体３とカバー５との２部品によって構成されており、コルゲートチューブ２の端部６を保持する。本体３及びカバー５は、それぞれ、硬質の合成樹脂の一体成形品で形成される。図１において、説明の便宜のために、コルゲートチューブ２は、主として端部６の部分だけが示されているが、実際にはもっと長く形成され、例えば、電線の束が、収容されて保護されるとともに、例えば、自動車のボデーパネル等へのレイアウトに従って配管される。また、図１において、コルゲートチューブ２は１つだけ示されているが、本体３の右側においても、別のコルゲートチューブの端部を取付けることができる構成であり、保持具１は、左側のコルゲートチューブ２と右側のコルゲートチューブとを連結する、コルゲートチューブのコネクタとして機能する。なお、図２〜図５は、本体３を単独で種々の方向から見た図を示す。図６〜図８には、本体３とコルゲートチューブ２の端部６及びカバー５との関係が示されている。
【００１３】
図１〜図５を参照して本体３について説明する。本体３は、蛇腹形状のコルゲートチューブ２の端部６を保持するホルダー部７を有する。図示の実施形態において、ホルダー部７は、保持されるコルゲートチューブ２の軸方向に整列して２個形成されている。一のコルゲートチューブ２の端部６が一方のホルダー部７に保持され、別のコルゲートチューブ（図示せず）の端部が他方のホルダー部７に保持されて、保持具１が両コルゲートチューブを連結するコネクタとなる。各ホルダー部７は、コルゲートチューブ２の端部６を受け入れて端部６の外周面を支持する形状に形成されている。実施形態において、各ホルダー部７は、コルゲートチューブ端部６を保持する底部９と底部９から立ち上がる一対の壁部１０によって、図５に示すように、側面から見てＵ字形状に形成される。ホルダー部７の内面には、ホルダー部７の端部に向けて軸方向に延びる第１の弾性保持片１１が形成されている。弾性保持片１１は、コルゲートチューブ２の端部６の内面に挿入されて端部６の蛇腹の谷に弾性的に係合してコルゲートチューブ２を本体３に仮止め保持するように形成されている。図示の実施形態において、弾性保持片１１は、ホルダー部７の底部９からコルゲートチューブ端部６の内面の蛇腹の山の高さに等しいかやや高く立ち上がり且つその高さのままホルダー部７の端部に向けて延びる断面Ｌ字型に形成され（図６、７参照）、弾性保持片１１の先端にはコルゲートチューブ端部内面の蛇腹の谷に弾性的に嵌合する係合爪１３が形成されている。
【００１４】
実施形態において、各ホルダー部７の底部９の端部には、コルゲートチューブ２の外面の蛇腹の谷に嵌合する周方向に部分的に延びる突条１４が形成されて、コルゲートチューブ２の軸方向の移動を阻止し、弾性保持片１１の仮止め保持及びカバー５を閉じた後の本止め保持を強化する。更に、各ホルダー部７には、壁部１０のそれぞれの外面に、カバー５の連結片２５（後述）を受入れる連結片係止穴１５を形成する筒状の係止部１７が形成されている。実施形態において、係止部１７は、本体３の端部外面の位置に、４個形成されている。各係止部１７には、連結片係止穴１５の中に突出する、弾性の係止爪１８が形成されている。
【００１５】
本体３は、２つのホルダー部７の中間に、両ホルダー部７をコルゲートチューブ２の軸方向に整列して連結するベース部１９を有する。ベース部１９には、パネル等の被取付部材に取付けるための固定部２１が形成されている。固定部２１は、実施形態においては、パネル等の被取付部材の取付穴に挿入して固定される形状の固定手段として形成されている。固定部２１は、例えば、図示の錨脚形状の固定手段以外にも、被取付部材の取付穴に押込んで固定される他の形状の固定手段でもよく、被取付部材に固定されたボタン型スタッド（Ｔスタッドとも呼ばれる）に係合して固定されるものであってもよい。実施形態において、ベース部１９の固定部２１の上部は、一方のホルダー部７に保持したコルゲートチューブ２に収容された電線束等が通って他方のホルダー部７に保持したコルゲートチューブにそのまま収容できるように、電線束を受入れる形状に形成されている。なお、実施形態において、固定部２１の根元部分には、ベース部１９から下方に斜めに延びる弾性片２２が一対形成されて、固定部２１が被取付部材の取付穴に挿入された後の固定を安定させて、確実に保持具１を被取付部材に固定する。
【００１６】
ベース部１９には、ホルダー部７の壁部１０に隣接して、壁部１０と平行に立設されたガイドバー２３が形成されている。実施形態において、ガイドバー２３は、一対のホルダー部７の各壁部１０に隣接して、合計４個形成されている。各ガイドバー２３は、カバー５を本体３に連結するときに、カバー５を適正な姿勢に保つように案内するもので、必須ではないが、カバー５の連結操作を滑らかに且つ確実にする。各ガイドバー２３の形状は図示のような半円筒状に形成してもよく、カバー５の案内をするものであれば、他の形状であってもよい。
【００１７】
カバー５について、図１及び図８を参照して説明する。カバー５は、本体３の開放上部を覆って、仮止めしたコルゲートチューブ２の端部６を本止め保持するともに、ベース部１９においてはそこを通る電線束等を覆う。カバー５には、ホルダー部７に仮止め保持されたコルゲートチューブ２の端部６をカバー５が覆うように、カバー５を本体３に連結するための連結片２５を有する。連結片２５は、本体３のホルダー部７の外側に形成された係止部１７の連結片係止穴１５に挿入されて、係止爪１８に係止する。連結片２５は、係止部１７に対応する位置に合わせて、４個形成されている。各連結片２５は、連結片係止穴１５に挿入される細長い脚部として形成されている。各連結片２５は、係止部１７の連結片係止穴１５への押込み位置を、コルゲートチューブ２の端部６の外径の大きさに合わせて調整できる構成に形成されている。実施形態において、連結片２５は、係止爪１８に係止する面に、連結片係止穴１５に形成された係止爪１８に係止する係止突部２６が長手方向に複数段形成されている。これによって、連結片２５が連結片係止穴１５に押込まれる位置が、コルゲートチューブ２の外径の大きさに依存して調整される。なお、係止突部２６は、係止爪１８との係止部分がラチェット歯に形成されるのが好ましく、これによって、押込み後の位置がそのまま保持されて、本止め保持が堅く維持される。連結片２５の押込み位置が、図１の本体３の左側のコルゲートチューブ２の直径が、本体３の右側のコルゲートチューブ（図示せず）の直径と違っていても、両コルゲートチューブをホルダー部７の底部９に当接して保持することができ、保持具１は、異なる直径のコルゲートチューブを連結するコネクタとして機能できる。
【００１８】
カバー５には、カバー５が本体３に連結されて、ホルダー部７に保持されたコルゲートチューブ２の端部６を底部９に当接するように押込んだ状態にあるとき、コルゲートチューブ２の端部６の外面の蛇腹の谷に弾性的に嵌合する第２の弾性保持片２７が形成されている。第２の弾性保持片２７も、保持したコルゲートチューブ２が保持具１から抜け出るのを阻止する。更に、カバー５の端部には、コルゲートチューブ２の端部６の外面の蛇腹の谷に嵌合する第２の突条２９が形成されているのが好ましく、コルゲートチューブ２の抜け止めを一層強化する。
【００１９】
カバー５には、本体３のベース部１９に形成されたガイドバー２３を受入れて、カバー５がガイドバー２３に沿って移動するように規制するガイド凹部３０が形成されている。ガイド凹部３０は、ガイドバー２３に位置を合わせて、４個形成されている。ガイドバー２３とガイド凹部３０とによって、連結片２５が係止部１７の連結片係止穴１５に挿入されるのを滑らかに案内し、カバー５が本体３に連結されるのを滑らかにする。カバー５には、本体３のベース部１９の上面に対応する位置に、ばね片３１が形成されるのが好ましい。このばね片３１によって、ベース部１９の上面に配置される電線束等をベース部１９押圧して一層確実に保持できる。
【００２０】
上記構成で成る保持具１にコルゲートチューブ２の端部６を保持させる操作を、図１、図６〜図８を参照して説明する。コルゲートチューブ２の端部６を、図１の矢印３３に示すように、本体３のホルダー部７の端部に配置して、端部６の端縁が弾性保持片１１とホルダー部７の底部９の間に入るように位置決めする。そのまま、図１の矢印３３及び図６の矢印３４に示すように、コルゲートチューブ２を軸方向にホルダー部７に押込むと、コルゲートチューブ端部６の内面の蛇腹の山及び谷が、弾性保持片１１の係合爪１３に係合しながらベース部１９に向けて移動する。コルゲートチューブ端縁が、弾性保持片１１の立ち上がり部分に当接すると軸方向の移動が止められ、弾性保持片１１の係合爪１３にコルゲートチューブ内面の蛇腹の谷に嵌合する。また、ホルダー部７の端部の突条１４は、コルゲートチューブ内面の蛇腹の谷に嵌合する。この状態が、コルゲートチューブ２の仮止め保持状態であり、図６及び図７に示されている。なお、図１及び図６において、図示しないコルゲートチューブが、他のホルダー部７にも同様に仮止め保持できる。かかる仮止め保持状態において、弾性保持片１１によって、コルゲートチューブ２は保持具１に位置ずれすることなく保持される。これによって、ワイヤハーネスを連結した状態に予め組み付ける作業の効率が向上する。
【００２１】
次に、図１の矢印３５に示すように、カバー５が本体３に連結される。コルゲートチューブ２は本体３に位置ずれすることなく仮止め保持されているので、カバー５を本体３に位置決めして連結するだけで、コルゲートチューブ２を本体３ひいては保持具１に本止め保持できる。カバー５を本体３に連結するには、連結片２５を本体３の係止部１７の連結片係止穴１５に位置決めし、カバー５のガイド凹部３０を本体３のガイドバー２３に合わせて、カバー５全体を本体３に向けて押込むだけでよい。その押込みによって、各連結片２５は連結片係止穴１５の中を移動し、ガイド凹部３０はガイドバー２３に沿って移動して、カバー５の下面がコルゲートチューブ２の上面に当接して、コルゲートチューブ２の下面をホルダー部７の底部９に当接させる。連結片２５は、係止突部２６が係止部１７の係止爪１８に係合しているので、カバー５の下面がコルゲートチューブ２の上面に当接しコルゲートチューブ２の下面がホルダー部７の底部９に当接した状態で固定され、これが本止め保持状態となり、コルゲートチューブ２は保持具１に確実に保持される。図８において、本止め保持状態においては、カバー５に形成された第２の弾性保持片２７が、想像線（鎖線）で示す位置から実線で示す位置にコルゲートチューブ２によって撓められ、先端がコルゲートチューブ２の外面の蛇腹の谷に嵌合する。また、カバー５の端縁の第２の突条２９もコルゲートチューブ２の外面の蛇腹の谷に嵌合する。これらによって、コルゲートチューブ２は、保持具１に一層強固に本止め保持される。
【００２２】
実施形態において、２つのホルダー部７が、ベース部１９を間にして軸方向に整列して形成されているので、各ホルダー部７にコルゲートチューブ２の端部を保持させることによって、保持具１は、両コルゲートチューブを連結するコネクタとなる。その場合、カバーの押込み位置は、コルゲートチューブ２の直径にあわせて調整できるので、異なる直径のコルゲートチューブを確実に本止め保持できる。従って、異なる直径のコルゲートチューブの端部を相互に簡単に接続することができる。そのため、保持するコルゲートチューブの直径が異なっていても、保持具は同じ形状のもので共用できる。なお、実施形態においては、２つのホルダー部を設けたが、例えば、３つ又はそれ以上のホルダー部を設け、それに対応する数のコルゲートチューブを連結することもできる。
【図面の簡単な説明】
【００２３】
【図１】本発明の１実施形態に係る保持具の連結前の状態を仮止め保持前のコルゲートチューブとともに示す斜視図である。
【図２】図１の保持具の本体の平面図である。
【図３】図２の本体の正面図である。
【図４】図２の本体の底面図である。
【図５】図２の本体の側面図である。
【図６】図２の本体のＡ−Ａ線断面図であって、コルゲートチューブを仮止め保持した状態で示す断面図である。
【図７】図６の円Ｂの拡大端面図である。
【図８】カバーを本体に連結してコルゲートチューブを本止め保持した状態にある保持具の、図６と同様の断面図である。
【符号の説明】
【００２４】
１  保持具
２  コルゲートチューブ
３  本体
５  カバー
６  コルゲートチューブの端部
７  ホルダー部
９  ホルダー部の底部
１０  ホルダー部の壁部
１１  （第１の）弾性保持片
１３  係合爪
１４  突条
１５  連結片係止穴
１７  係止部
１８  係止爪
１９  ベース部
２１  固定部
２２  弾性片
２３  ガイドバー
２５  連結片
２６  係止突部
２７  第２の弾性保持片
２９  第２の突条
３０  ガイド凹部
３１  ばね片
【図１】
2008154343.tif 000003
【図２】
2008154343.tif 000004
【図３】
2008154343.tif 000005
【図４】
2008154343.tif 000006
【図５】
2008154343.tif 000007
【図６】
2008154343.tif 000008
【図７】
2008154343.tif 000009
【図８】
2008154343.tif 000010